(57)【特許請求の範囲】
【請求項１】
パチンコ機の裏面に固設された制御基板シャーシを覆う基板蓋を取り付けるパチンコ機の基板蓋取付構造において、
前記固設された制御基板シャーシに所定の隙間をもって固設され、複数の円孔と、前記複数の円孔の外周にあって所定の高さを持つ係合部とを備える基板側ネジ固定板と、
円周の一部に所定の厚みを持つ縁部のある円筒状であって、小径部が前記複数の円孔に回転自在かつ摺動自在に嵌合され、中心に取付ネジが装着されるネジ孔を備える複数の本体ストッパとを有し、
前記係合部には反時計回り方向に厚みの増す傾斜が形成され、
前記縁部には時計回り方向に厚みの増す傾斜が形成され、
前記本体ストッパに対して、前記取付ネジを反時計回りに回転させたときに、前記係合部と前記縁部とが係合せずに、前記本体ストッパが空回転し、
前記本体ストッパに対して、前記取付ネジを時計回りに回転させたときに、前記係合部と前記縁部とが係合して、前記本体ストッパが固定され前記ネジが螺入し、
前記取付ネジの当接面が前記基板蓋に当接した後、前記本体ストッパが前記制御基板シャーシに近づき、前記本体ストッパが前記制御基板シャーシに当接すると、前記係合部と前記縁部との係合が外れ、前記取付ネジを時計回りまたは反時計回りに回転させたときに、前記本体ストッパが前記取付ネジと供回り回転し、
前記基板蓋に形成された複数の前記ネジ用孔の各々の周囲に切断用空孔が形成され、
前記切断用空孔の近傍の接続部を切断することにより、前記ネジ用孔にネジ込まれている前記取付ネジを前記基板蓋から分離することを特徴とするパチンコ機の基板蓋取付構造。
【発明の詳細な説明】
【０００１】
【発明の属する技術分野】
本発明は、パチンコ機に搭載される回路基板への不正行為を防止するパチンコ機の回路基板の不正防止構造に関し、さらに詳細には、回路基板を覆うパチンコ機の基板蓋取付構造に関するものである。
【０００２】
【従来の技術】
近年のパチンコ機おいては、パチンコ機のゲーム内容が書き込まれたＲＯＭを実装したメイン基板が搭載されている。そして、パチンコ機のゲーム内容が不正に変更されることを防止するために、メイン基板に対して種々の不正防止構造が施されている。
【０００３】
例えば、図７に示すメイン基板では、シャーシ１００に載せたメイン基板１０１の表側をカバー１０２で覆い、その四隅をねじ１０３で固定して、シャーシ１００とカバー１０２との間にメイン基板１０１を閉じこめ、さらに、シャーシ１００とカバー１０２とを挟むようにして証紙１０４を貼り付けて封印している。かかる証紙１０４は、一度はがして再び貼り付けると、その形跡が証紙１０４に現れて肉眼ではっきりと確認できるので、シャーシ１００からカバー１０２を内密に取り外すことができず、メイン基板１０１に実装されたＲＯＭ１０５の内容が不正に書き換えられることを防止できる。
【０００４】
【発明が解決しようとする課題】
しかしながら、図７のメイン基板に施された不正防止構造では、特殊な薬品を用いて証紙１０４をはがし再び貼り付ければ、その形跡が証紙１０４に現れることがないので、シャーシ１００からカバー１０２を内密に取り外すことが可能となり、メイン基板１０１に実装されたＲＯＭ１０５の内容を不正に書き換えられるおそれがあった。
一方、ロウ付け等により、基板蓋を完全に取り外せなくすることは、別な問題があって実行できない。すなわち、完成品は、当局の抜き取り検査を受けなければならないため、任意のパチンコ機の基板蓋は、取り外し再組立可能である必要があるのである。
【０００５】
そこで、本発明は、上述した問題点を解決するためになされたものであり、回路基板に対する不正行為を行った後には元の状態に戻すことはできないパチンコ機の基板蓋取付構造を提供することを目的とする。
【０００６】
【課題を解決するための手段】
この目的を達成するために成された請求項１に係るパチンコ機の基板蓋取付構造は、（ａ）固設された制御基板シャーシに所定の隙間をもって固設され、複数の円孔と、複数の円孔の外周にあって所定の高さを持つ係合部とを備える基板側ネジ固定板と、（ｂ）円周の一部に所定の厚みを持つ縁部のある円筒状であって、小径部が前記複数の円孔に回転自在かつ摺動自在に嵌合され、中心に取付ネジが装着されるネジ孔を備える複数の本体ストッパとを有し、（ｃ）前記係合部には反時計回り方向に厚みの増す傾斜が形成され、（ｄ）前記縁部には時計回り方向に厚みの増す傾斜が形成され、（ｅ）前記本体ストッパに対して、前記取付ネジを反時計回りに回転させたときに、前記係合部と前記縁部とが係合せずに、前記本体ストッパが空回転し、（ｆ）前記本体ストッパに対して、前記取付ネジを時計回りに回転させたときに、前記係合部と前記縁部とが係合して、前記本体ストッパが固定され前記ネジが螺入し、（ｇ）前記取付ネジの当接面が前記基板蓋に当接した後、前記本体ストッパが前記制御基板シャーシに近づき、前記本体ストッパが前記制御基板シャーシに当接すると、前記係合部と前記縁部との係合が外れ、前記取付ネジを時計回りまたは反時計回りに回転させたときに、前記本体ストッパが前記取付ネジと供回り回転し、（ｈ）前記基板蓋に形成された複数の前記ネジ用孔の各々の周囲に切断用空孔が形成され、（ｉ）前記切断用空孔の近傍の接続部を切断することにより、前記ネジ用孔にネジ込まれている前記取付ネジを前記基板蓋から分離することを特徴とする。
【０００７】
【０００８】
【０００９】
このような構成を有する本発明のパチンコ機の基板蓋取付構造の作用を説明する。
パチンコ機の裏面にＲＯＭ等の取り付けられた制御基板が固設された制御基板シャーシに対して、基板蓋を取り付けるための基板蓋取付構造である。
基板側ネジ固定板が制御基板シャーシに固定ネジにより固設されている。この固定ネジの頭は、基板蓋に覆われて隠れているため、基板蓋が閉じられた状態で基板側ネジ固定板を取り外すことは不可能である。基板側ネジ固定板の円孔に本体ストッパが嵌合されている。
【００１０】
基板蓋側の複数あるネジ用孔のうちの１つから右ネジである取付ネジを挿入し、時計回りに回転させる。本体ストッパの縁部が、基板側ネジ固定板の係合部と係合して本体ストッパが供回りしないので、始めは、本体ストッパの中心孔に取付ネジが螺入していく。
そして、取付ネジの当接面が基板蓋に当接した後は、本体ストッパが制御基板シャーシに近づいてくる。本体ストッパは、円孔に摺動自在に嵌合されているからである。
そして、本体ストッパが制御基板シャーシに当接すると、本体ストッパの縁部と基板側ネジ固定板の係合部との係合が解除され、本体ストッパは、取付ネジと供回りするようになる。当然、取付ネジを外そうとして取付ネジを反時計回りに回転させた場合にも、本体ストッパは、取付ネジと供回りするため、取付ネジを外すことはできない。
【００１１】
当局等の抜き取り検査を受けるために、基板蓋を取り外す必要が発生した場合には、切断用空孔の近傍の接続部をニッパ等により切断することにより、取付ネジ固定ストッパと共にを基板側ネジ固定板側に残す形で、基板蓋を取り外すことが可能である。検査終了後は、複数の円孔のうち残っている円孔に嵌合されている本体ストッパを用いることにより、再び基板蓋を制御基板シャーシに対して取り付けることができる。
この取付構造によれば、不正者が基板蓋を外した場合、基板蓋のネジ用孔が破壊されるため、パチンコホール側は、すぐに不正に気付くことができ、また、その場で容易に立証することができる利点がある。
【００１２】
【発明の実施の形態】
以下、本発明の実施の形態を図面を参照して詳細に説明する。本実施の形態のパチンコ機の基板蓋取付構造の側面図、一部断面を図１に示し、上面図を図２に示す。また、その作用図を図３に示す。
パチンコ機の裏面に固設された制御基板シャーシ１１に、基板側ネジ固定板１２が２本のネジ２６により取り付けられている。制御基板シャーシ１１には、図示しない制御基板が取り付けられ、図３に示すように、それを覆って基板蓋１８が取り付けられる。制御基板には、パチンコ機の大当たりを発生させる制御プログラム等を記憶するＲＯＭが装着されている。
【００１３】
基板側ネジ固定板１２の構成を図４に示す。（ａ）が上面図であり、（ｂ）が（ａ）のＡＡ断面図である。
基板側ネジ固定板１２の両端には、ネジ孔１７が形成されている。基板側ネジ固定板１２の材質は樹脂で有り、ネジとしてタッピングネジを使用しているので、ネジ孔１７は貫通孔であって、雌ネジは切っていない。雌ネジを切って、通常のネジを用いても同じである。
ネジ孔１７が形成された上面には、制御基板シャーシ１１と基板側ネジ固定板１２との間に所定の隙間Ｗを形成するための凸部１３が形成されている。凸部１３の高さは、当然所定の隙間Ｗ＝２．２ｍｍである。
【００１４】
ネジ孔１７の中心を結ぶ直線上に、３つの円孔１６Ａ，１６Ｂ，１６Ｃが等ピッチで形成されている。本実施の形態では、円孔１６Ａ，１６Ｂ，１６Ｃを貫通孔とせずに座ぐり孔としているが、貫通孔としても同様である。円孔１６Ａ，１６Ｂ，１６Ｃの深さＡは、本実施の形態では、Ａ＝５．０ｍｍとしている。円孔１６Ａ，１６Ｂ，１６Ｃの上端には、段差部２４Ａ，２４Ｂ，２４Ｃが形成されている。
円孔１６Ａ，１６Ｂ，１６Ｃの外周であって、基板側ネジ固定板１２の上面には、所定の高さｈ１を持ち対角線上に位置する一対の係合部１４（Ａ，Ｂ，Ｃ），１５（Ａ，Ｂ，Ｃ）が形成されている。一対の係合部１４，１５は、図４（ｂ）に示すように、反時計回りに厚みの増す、すなわち登り坂となった傾斜部１９Ａ，１９Ｂ，１９Ｃを備えている。
本実施の形態では、所定の高さｈ１＝１．０ｍｍとしている。
【００１５】
円孔１６Ａ，１６Ｂ，１６Ｃには、本体ストッパ２０が嵌合されている。本体ストッパ２０の構造を図５に示す。（ａ）が上面図であり、（ｂ）が側面図である。本体ストッパ２０は、上面の円周の一部に、一対の縁部２３が形成されている。縁部２３には、（ａ）において時計回りに厚みの増す傾斜部２３ａが形成されている。縁部２３は、所定の厚みｈ２を持っており、本実施の形態では、ｈ２＝１．０ｍｍとしている。また、縁部２３の下には、０．５ｍｍの厚みの段差部２５が形成されている。段差部２５には、長さＢのストッパ嵌合部２１が連続している。本実施の形態では、段差部２５の外径を７．０ｍｍとし、ストッパ嵌合部２１の外径を５．５ｍｍとして、段差部２５の外径をストッパ嵌合部２１の外径より約１．５ｍｍ大きくしている。段差部２５の外径をストッパ嵌合部２１の外径より僅かに大きすることにより、本体ストッパ２０と基板側ネジ固定板１２との接触面積を小さくしている。また、段差部２５は、段差部２４Ａ，２４Ｂ，２４Ｃと当接して、ネジ込み動作の時にかかる荷重を受け、係合部１４，１５に荷重がかからないようにしている。本体ストッパ２０の中心には、ネジ孔２２が形成されている。本体ストッパ２０の材質は樹脂で有り、ネジとしてタッピングネジを使用しているので、ネジ孔２２は貫通孔であって、雌ネジは切っていない。雌ネジを切って、通常のネジを用いても同じである。
【００１６】
次に、基板蓋１８のネジ取付部付近の構造を説明する。図６に上面図を示す。取付ネジ２７用の３カ所のバカ孔３１Ａ，３１Ｂ，３１Ｃが形成されている。バカ孔３１Ａ，３１Ｃの外側には、固定ネジ２６の頭を覆って隠すためのカバー用凹部３２が形成されている。また、バカ孔３１Ａ，３１Ｂ，３１Ｃの各々の両側には、Ｔ字形の空孔３３が形成されている。
空孔３３により形成されている残り接続部をニッパ等の工具を用いて切断することにより、取付ネジ２７を本体ストッパ２０と共に残した形で、基板蓋１８を制御基板シャーシ１１から外すことができる。
【００１７】
次に、上記構成を有する基板蓋取付構造の作用を説明する。作用状態の変化を図３の番号１，２，３に示す。
図３に示すように、一対の固定ネジ２６により、基板側ネジ固定板１２を制御基板シャーシ１１に固定する。すなわち、ネジ孔１７にタッピングネジである固定ネジ２６をねじ込むことにより、基板側ネジ固定板１２を制御基板シャーシ１１に固定する。このとき、基板側ネジ固定板１２の上面と制御基板シャーシ１１との間には、凸部１３の高さＷ＝２．２ｍｍの隙間が形成されている。
固定ネジ２６の頭は、図３に示すように、基板蓋１８に完全に隠れる構造となっている。これは、基板蓋１８を外さない限り、基板側ネジ固定板１２を制御基板シャーシ１１から外せなくするためである。
【００１８】
円孔１６Ａ，１６Ｂ，１６Ｃは、３カ所に形成され、各々に本体ストッパ２０が嵌合されているので、どの本体ストッパ２０に対して、ネジをねじ込んでも同じである。３カ所設けているのは、後で説明するように、一度本体ストッパ２０にねじ込むと、基板蓋１８側の構成部分を破壊しないと、基板蓋１８を制御基板シャーシ１１から外せないため、３カ所を順番に使用することにより、２回までは取り外し可能とするためである。基板蓋１８側の構成部分を破壊したことは、パチンコホール側では、記録できるので、不正者が基板蓋１８側を破壊して、基板蓋１８を制御基板シャーシ１１から外した場合、その不正が明白となる。
【００１９】
図３には、便宜のため、番号１，２，３として、取付ネジ２７をねじ込んでゆく過程を示しているが、実際には、同じ１つの円孔１６の本体ストッパ２０に対して行われている作用である。
番号１では、右ネジのタッピングネジである取付ネジ２７を、本体ストッパ２０のネジ孔２２にを挿入し、時計回りに回転させる。本体ストッパ２０の縁部２３が、基板側ネジ固定板１２の係合部１４，１５と係合して本体ストッパ２０が取付ネジ２７と供回りしないので、始めは、本体ストッパ２０ネジ孔２２に取付ネジ２７が螺入していく。
【００２０】
そして、取付ネジ２７の当接面が基板蓋１８に当接した後は、本体ストッパ２０が制御基板シャーシ１１に近づいてくる。本体ストッパ２０は、円孔１６に摺動自在に嵌合されているからである。
そして、本体ストッパ２０が制御基板シャーシ１１に当接するか若しくはその直前で、本体ストッパの縁部と基板側ネジ固定板の係合部との係合が解除される。これは、基板側ネジ固定板１２と制御基板シャーシ１１の隙間Ｗが、係合部１４，１５の厚みｈ１と縁部２３の厚みｈ２との合計よりも大きく採ってあるからである。
そして、本体ストッパ２０は、取付ネジ２７と供回りするようになる。当然、取付ネジ２７を外そうとして取付ネジ２７を反時計回りに回転させた場合にも、本体ストッパ２０は、取付ネジ２７と供回りするため、取付ネジ２７を外すことはできず、基板蓋１８を外せないため、ＲＯＭ等が不正に交換される恐れがない。
【００２１】
一方、当局等の抜き取り検査を受けるために、基板蓋を取り外す必要が発生した場合には、図６に示すように、バカ孔３１等は基板蓋１８の下端部に形成されているので、空孔３３の近傍の接続部をニッパ等により切断することにより、取付ネジ２７を本体ストッパ２０と共に基板側ネジ固定板１２側に残す形で、基板蓋１８を取り外すことが可能である。
例えば、バカ孔３１Ｂを使用した場合、図６に示す３カ所の接続部３４Ｂを切断すれば良い。
抜き取り検査終了後は、複数の円孔１６Ａ，１６Ｂ，１６Ｃのうち残っている円孔に嵌合されている本体ストッパ２０を用いることにより、再び基板蓋１８を制御基板シャーシ１１に対して取り付けることができる。
【００２２】
以上詳細に説明したように、本実施の形態の基板蓋取付構造によれば、（ａ）固設された制御基板シャーシ１１に所定の隙間をもって固設され、複数の円孔１６Ａ，１６Ｂ，１６Ｃと、円孔１６Ａ，１６Ｂ，１６Ｃの外周にあって所定の高さｈ１を持つ係合部１４，１５とを備える基板側ネジ固定板１２と、（ｂ）円周の一部に所定の厚みｈ２を持つ縁部２３のある円筒状であって、小径部が円孔１６Ａ，１６Ｂ，１６Ｃに回転自在かつ摺動自在に嵌合され、中心に取付ネジ２７が装着されるネジ孔２２を備える本体ストッパ２０とを有し、（ｃ）本体ストッパ２０に対して、取付ネジ２７を時計回りに回転させたときに、係合部１４，１５と縁部２３とが係合して、本体ストッパ２０が固定され取付ネジ２７が螺入し、（ｄ）取付ネジ２７の当接面が基板蓋１８に当接した後、本体ストッパ２０が制御基板シャーシ１１に近づき、本体ストッパ２０が制御基板シャーシ１１に当接すると、係合部１４，１５と縁部２３との係合が外れ、取付ネジ２７を時計回りまたは反時計回りに回転させたときに、本体ストッパ２０が取付ネジ２７と供回り回転するので、不正者が基板蓋１８を取り外すことができないため、不正にＲＯＭ等が交換される恐れがない。
【００２３】
さらに、（ｅ）係合部１４，１５に反時計回り方向に厚みの増す傾斜部１９Ａ，１９Ｂ，１９Ｃが形成され、（ｆ）縁部２３に時計回り方向に厚みの増す傾斜部２３ａが形成され、（ｇ）本体ストッパ２０に対して、取付ネジ２７を時計回りに回転させたときに、係合部１４，１５と縁部２３とが係合して、本体ストッパ２０が固定され取付ネジ２７が螺入し、取付ネジ２７を反時計周りに回転させたときに、係合部１４，１５と縁部２３とが係合せずに、本体ストッパ２０が空回転するので、強引に取付ネジ２７を押し付けることにより、係合部１４，１５と縁部２３とを係合させようとしても、各々の傾斜部で滑ってしまい係合しないため、不正に取付ネジ２７が取り外されることを確実に防止できる。
【００２４】
さらに、（ｈ）基板蓋１８に形成された複数のバカ孔３１の各々の周囲に切断用空孔である空孔３３が形成され、（ｉ）空孔３３の近傍の接続部３４を切断することにより、本体ストッパ２０にねじ込まれている取付ネジ２７を基板蓋１８から分離できるので、不正者が基板蓋１８を外した場合、基板蓋１８の空孔３３が破壊されるため、パチンコホール側は、すぐに不正に気付くことができ、また、その場で容易に立証することができ、不正者の反論を防止する利点がある。
【００２５】
なお、本発明は上記実施の形態に限定されるものでなく、その趣旨を逸脱しない範囲で様々な変更が可能である。
例えば、本実施の形態のパチンコ機の基板蓋取付構造では、係合部を２カ所に設けているが、３カ所以上あっても良い。また、円孔１６Ａ，１６Ｂ，１６Ｃも４カ所以上あっても良い。
また、空孔３３の形状は、任意である。
【００２６】
【発明の効果】
本発明のパチンコ機の基板蓋取付構造によれば、（ａ）固設された制御基板シャーシに所定の隙間をもって固設され、複数の円孔と、複数の円孔の外周にあって所定の高さを持つ係合部とを備える基板側ネジ固定板と、（ｂ）円周の一部に所定の厚みを持つ縁部のある円筒状であって、小径部が前記複数の円孔に回転自在かつ摺動自在に嵌合され、中心に取付ネジが装着される雌ネジ部を備える複数の本体ストッパとを有し、（ｃ）係合部には反時計回り方向に厚みの増す傾斜が形成され、（ｄ）縁部には時計回り方向に厚みの増す傾斜が形成され、（ｅ）本体ストッパに対して、前記取付ネジを反時計回りに回転させたときに、前記係合部と前記縁部とが係合せずに、前記本体ストッパが空回転し、（ｆ）本体ストッパに対して、前記取付ネジを時計回りに回転させたときに、前記係合部と前記縁部とが係合して、前記本体ストッパが固定され前記ネジが螺入し、（ｇ）取付ネジの当接面が前記基板蓋に当接した後、前記本体ストッパが前記制御基板シャーシに近づき、前記本体ストッパが前記制御基板シャーシに当接すると、前記係合部と前記縁部との係合が外れ、前記取付ネジを時計回りまたは反時計回りに回転させたときに、前記本体ストッパが前記取付ネジと供回り回転し、（ｈ）基板蓋に形成された複数の前記ネジ用孔の各々の周囲に切断用空孔が形成され、（ｉ）切断用空孔の近傍の接続部を切断することにより、前記ネジ用孔にネジ込まれている前記取付ネジを前記基板蓋から分離するので、不正者が基板蓋を取り外すことができないため、不正にＲＯＭ等が交換される恐れがない。
【００２７】
さらに、基板蓋に形成された複数のバカ孔の各々の周囲に切断用空孔である空孔が形成され、空孔の近傍の接続部を切断することにより、本体ストッパにねじ込まれている取付ネジを基板蓋から分離できるので、不正者が基板蓋を外した場合、基板蓋の空孔が破壊されるため、パチンコホール側は、すぐに不正に気付くことができ、また、その場で容易に立証することができ、不正者の反論を防止する利点がある。
【図面の簡単な説明】
【図１】本発明の一実施の形態のパチンコ機の基板蓋取付構造の側面図（一部断面）である。
【図２】パチンコ機の基板蓋取付構造の側面図の上面図である。
【図３】作用説明図である。
【図４】基板側ネジ固定板１２の構成を示す図面である。
【図５】本体ストッパ２０の構成を示す図面である。
【図６】基板蓋１８の一部図面である。
【図７】従来の基板蓋取付構造を示す図面である。
【符号の説明】
１１ 制御基板シャーシ
１２ 基板側ネジ固定板
１４，１５ 係合部
１６Ａ，１６Ｂ，１６Ｃ 円孔
１８ 基板蓋
２０ 本体ストッパ
２３ 縁部
２７ 取付ネジ
３１ バカ孔
３３ 空孔
【図１】
0004038781.tif 000002
【図２】
0004038781.tif 000003
【図３】
0004038781.tif 000004
【図４】
0004038781.tif 000005
【図５】
0004038781.tif 000006
【図６】
0004038781.tif 000007
【図７】
0004038781.tif 000008